(57)【特許請求の範囲】
【請求項１】
内部が中空状とされた略三角形状の柱状部材を複数有し、該柱状部材同士が所定の間隙を隔てて放射状に配置されると共に、放射状に配置された柱状部材により、中心部に傘の挿入空間が形成された雨滴回収部と、
前記柱状部材同士が相対する壁面に突設された雨滴掻き取り板と、
前記壁面に前記雨滴掻き取り板の上面に接するように開口された雨滴回収穴部とを備える
傘のしずく取り装置。
【請求項２】
前記柱状部材の上端は、放射状に配置された柱状部材の中心部に向けて下り傾斜状に形成された
請求項１に記載の傘のしずく取り装置。
【請求項３】
放射状に配置された柱状部材の中心部に形成された傘の挿入空間が、下方に向けて順次狭窄状となる様に、前記柱状部材が傾斜して配置された
請求項１または請求項２に記載の傘のしずく取り装置。
【請求項４】
放射状に配置された柱状部材の中心部に形成された傘の挿入空間が、下方に向けて順次狭窄状となる様に、前記柱状部材が順次膨出状に形成された
請求項１、請求項２または請求項３に記載の傘のしずく取り装置。
【請求項５】
前記雨滴掻き取り板は、弾性材料により形成された
請求項１、請求項２、請求項３または請求項４に記載の傘のしずく取り装置。
【請求項６】
前記柱状部材及び前記雨滴掻き取り板は、合成樹脂素材により形成された
請求項１、請求項２、請求項３、請求項４または請求項５に記載の傘のしずく取り装置。
【発明の詳細な説明】
【技術分野】
【０００１】
本発明は、傘のしずく取り装置に関する。詳しくは、濡れた傘のしずくを掻き取る傘のしずく取り装置に係るものである。
【背景技術】
【０００２】
従来、この種の傘のしずく取り装置として、例えば特許文献１に記載されたものが知られている。
具体的には、特許文献１に記載された傘のしずく取り装置は、図１３に示すように、装置ボディ１０１の傘の差し込み口１０２に弾性を有する複数の吸水体１０３が所定間隔を開けて放射状に設けられ、複数の吸水体の中間に傘の挿入空間が形成されている。
【０００３】
ここで、吸水体１０３は、例えばポリエステル系繊維による鹿子編組織等の裏面にアクリル、ウレタン、又はフッ素樹脂等の防水コーティングを施して形成される特殊な布体１０４を、吸水体１０３の形状を呈する弾性材１０５の表面に覆着して構成されている。
【０００４】
このような複数の吸水体１０３の挿入空間に閉じた状態の濡れた傘１０６を差し込んで、隣接する各吸水体１０３の隙間（クリアランス）に傘地をそれぞれ挿入し、傘１０６を差込方向に沿って摺動させることによって、傘地表面のしずくを吸水体１０３で吸水して除去できる。
【０００５】
なお、吸水体同士のクリアランスは、傘を差し込んだ場合に、傘の骨が吸水体同士のクリアランスに入り込んで傘地が各吸水体の表面に圧接し、吸水体が傘地表面のしずくを吸水することができる程度の間隔に構成されている。
【先行技術文献】
【特許文献】
【０００６】
【特許文献１】国際公開第２００４／００１３０７号
【発明の概要】
【発明が解決しようとする課題】
【０００７】
しかしながら、吸水体同士のクリアランスは、傘を差し込んだ場合に傘地が吸水体の表面に圧接する程度に幅狭に構成されているために、傘の骨が吸水体同士のクリアランスに入り込み難かった。
【０００８】
また、傘を挿し込んだ際に吸水体同士のクリアランス内に傘の骨が入り込み難いため、傘地が縮んでしまって傘地の一部のみしか吸水体の表面に接触せず、傘地に付いたしずくを充分に取ることができないこともあった。
【０００９】
本発明は、以上の点に鑑みて創案されたものであって、傘地についた雨滴を充分に掻き取ることが可能な傘のしずく取り装置を提供することを目的とするものである。
【課題を解決するための手段】
【００１０】
上記の目的を達成するために、本発明に係る傘のしずく取り装置は、複数の柱状部材を有し、該柱状部材同士が所定の間隙を隔てて放射状に配置されると共に、放射状に配置された柱状部材の中心部に傘の挿入空間が形成された雨滴回収部と、前記柱状部材同士が相対する壁面に突設された雨滴掻き取り板とを備える。
【００１１】
ここで、複数の柱状部材を有し、柱状部材同士が所定の間隙を隔てて放射状に配置されると共に、放射状に配置された柱状部材の中心部に傘の挿入空間が形成された雨滴回収部と、柱状部材同士が相対する壁面に突設された雨滴掻き取り板とを備えることによって、柱状部材同士の間隙を充分に設けることができ、傘を挿入空間に差し込む際に、傘地が縮むことなく柱状部材同士の間隙に入り込み、上下摺動を繰り返すことで雨滴掻き取り板が傘地に付いた水滴を充分に掻き取ることができる。
【００１２】
また、柱状部材が、下端が開放された中空体であると共に、雨滴掻き取り板が突設された壁面に雨滴回収穴部が開口されたことによって、雨滴掻き取り板で回収された傘地に付着した水滴は壁面に開口された雨滴回収穴部より柱状部材内に回収することが可能となる。
【００１３】
また、柱状部材の上端が、放射状に配置された柱状部材の中心部に向けて下り傾斜状に形成されることによって、傘を柱状部材の中心部の挿入空間に差し込む際に、柱状部材の上端を傘の先で傷つけることなくスムーズに差し入れることが可能となる。
【００１４】
また、放射状に配置された柱状部材の中心部に形成された傘の挿入空間が、下方に向けて順次狭搾状となる様に柱状部材が傾斜して配置されることによって、傘を挿入空間に挿し入れる際に、傘地が柱状部材に均一に接触することが可能となる。
【００１５】
また、放射状に配置された柱状部材の中心部に形成された傘の挿入空間が、下方に向けて順次狭搾状となる様に柱状部材が順次膨出状に形成されることによって、柱状部材を故意に傾斜させることなく、傘を挿入空間に挿し入れる際に、傘地が柱状部材に均一に接触することが可能となる。
【００１６】
また、雨滴掻き取り板が弾性材料により形成されることによって、傘地に圧接した状態で水滴を掻き取ることが可能となる。
【００１７】
また、柱状部材及び雨滴掻き取り板が合成樹脂素材により形成されることによって、柱状部材に水が浸み込むことがなく、使用後の洗浄等のメンテナンスを簡略化することができる。
【発明の効果】
【００１８】
本発明によれば、傘地に付着した雨滴を確実に掻き取ることが可能となる。
【図面の簡単な説明】
【００１９】
【図１】本発明を適用した傘のしずく取り装置の一例を説明するための平面模式図である。
【図２】図１のＡ−Ａ線における端面を説明するための模式図である。
【図３】本発明を適用した傘のしずく取り装置において雨滴回収部カバーを取り付けない状態を説明するための平面模式図である。
【図４】本発明を適用した傘のしずく取り装置における雨滴回収部の一例を説明するための平面模式図である。
【図５】本発明を適用した傘のしずく取り装置における雨滴回収部の一例を説明するための正面模式図である。
【図６】本発明を適用した傘のしずく取り装置における雨滴回収部の一例を説明するための側面模式図である。
【図７】本発明を適用した傘のしずく取り装置を収納ケースに収納した状態の一例を示す一部断面模式図である。
【図８】本発明を適用した傘のしずく取り装置における傘のしずく取り過程を説明するための模式図である。
【図９】本発明を適用した傘のしずく取り装置における吸水過程を説明するための模式図である。
【図１０】本発明を適用した傘のしずく取り装置の他の例を説明するための平面模式図である。
【図１１】図９のＢ−Ｂ線における端面を説明するための模式図である。
【図１２】本発明を適用した他の例による傘のしずく取り装置における吸水過程を説明するための模式図である。
【図１３】従来の傘のしずく取り装置を説明するための模式図である。
【発明を実施するための形態】
【００２０】
以下、本発明の実施の形態を図面を参酌しながら説明し、本発明の理解に供する。
【００２１】
＜実施例１＞
図１は本発明を適用した傘のしずく取り装置の一例を説明するための平面模式図、図２は図１のＡ−Ａ線における端面を説明するための模式図である。また、図３は本発明を適用した傘のしずく取り装置における支持フレーム上に雨滴回収部カバーを省略した状態を説明するための平面模式図ある。
【００２２】
ここで示す傘のしずく取り装置１は、環状の支持フレーム２と、この支持フレーム２にその上部が取り付けられた雨滴回収部３とを有して構成されている。
【００２３】
また、雨滴回収部３は、その中心部に傘の挿入空間２５が形成される様に、８個の柱状部材１６が、所定の間隔を持って放射状に集合して構成されている。
【００２４】
ここで、支持フレーム２は外周縁が円形状であり、その内周縁は一定間隔を設けて８個の辺部４が形成されて構成されている。
【００２５】
また、それぞれの辺部４の略中央位置には下方に略直角状に折曲げられた係留片８が形成されている。
【００２６】
更に、この辺部４の裏面には、上端が取付ネジ６で固定された状態で、その下方に向けて下端が支持フレーム２の中心方向に傾斜するように雨滴回収部取付板部５が垂設されて構成されている。
【００２７】
この雨滴回収部取付板部５は、その上下方向の適宜箇所に柱状部材１６を固定するためのネジ穴２０が設けられて構成されている。
【００２８】
また、図２に示すように、支持フレーム２上には雨滴回収部カバー３１が取付ネジ６で取り付けられている。
この雨滴回収部カバー３１は図１に示すように、ゴム製の板材で形成されると共に、その直径が支持フレーム２の直径と略同径の円形状をなしている。
【００２９】
ここで、雨滴回収部カバー３１は柱状部材１６の個数に合わせて８分割とされ、その中心部に傘を挿し通せる空隙部３２が形成されて構成されている。
【００３０】
更に、雨滴回収部カバー３１の周縁部には、支持フレーム２の取付ネジ６の取付位置に対応する箇所にネジ挿通穴３３が貫設されると共に、雨滴回収部カバー３１にナイロン（図示せず。）が被せて構成されている。
【００３１】
次に、図４は本発明を適用した傘のしずく取り装置における雨滴回収部の一例を説明するための平面模式図、図５は本発明を適用した傘のしずく取り装置における雨滴回収部の一例を説明するための正面模式図、図６は本発明を適用した傘のしずく取り装置における雨滴回収部の一例を説明するための側面模式図である。
【００３２】
ここで、雨滴回収部３を構成する柱状部材１６はプラスチックなどの合成樹脂材により内部が中空状に形成されており、底辺７の幅が支持フレーム２の辺部４の幅と略同等とされ、その平面の断面形状が略三角形状をなす柱状に形成されている。
【００３３】
また、柱状部材１６の頂部１１は鋭角状ではなく丸みを帯びた形状とされ、底辺７から頂部１１の両側壁面が雨滴掻き取り壁面１３とされている。更に底辺７の上下方向に渡って雨滴回収部取付板部５のネジ穴２０に対応する箇所に雌ネジ部２１が設けられて構成されている。
【００３４】
更に、柱状部材１６の上端には、支持フレーム２の係留片８が嵌め入れられる係留溝９が形成されると共に、係留溝９から頂部１１に向けて下方へ傾斜面１０が形成されて構成されている。また、柱状部材１６の下端は開口状とされている。
【００３５】
また、柱状部材１６の外周壁の上部には、柱状部材１６の雨滴掻き取り壁面１３に対して一定幅を設けて水平状に頂部１１を周回するようにして傘押圧壁面部３４が突設形成されている。
【００３６】
更に、傘押圧壁面部３４の下部には雨滴掻き取り板１２が、傘押圧壁面部３４の周回幅と略同等となるように柱状部材１６の雨滴掻き取り壁面１３に対して一定幅を設けて水平状に頂部１１を周回するようにして突設して構成されている。更に、雨滴掻き取り板１２は、上下方向に振幅可能なように弾性を有する合成樹脂素材により形成されている。
【００３７】
また、それぞれの雨滴掻き取り板１２上面に接した雨滴掻き取り壁面１３には、柱状部材１６の中空内部１４と連通状とされる雨滴回収穴部１５、１５が並列状に開口している。
【００３８】
ここで、図２及び図３に示すように、支持フレーム２のそれぞれの辺部４の係留片８を柱状部材１６の上端の係留溝９内に嵌め込んだ状態で、雨滴回収部取付板部５と柱状部材１６の底辺７に配置されるネジ穴２０及び雌ネジ部２１を合わせて締結ネジ２２によって締結される。
【００３９】
このようにして構成された雨滴回収部３は、柱状部材１６の雨滴掻き取り板１２同士が一定のクリアランスを持って配置されることとなる。
【００４０】
更に、雨滴回収部３の傘の挿入空間２５は、８個の柱状部材１６が支持フレーム２の中心方向に傾斜させた状態で取り付けられることで、雨滴回収部３の下方に向かうに従って順次穴径が小さくなるように形成されることとなる。
【００４１】
ここで、傘のしずく取り装置１は、上端に傘を差し込むための円形の開口部２３が形成されると共に、この開口部２３を未使用時に閉鎖する蓋部２６が取り付けられた収納ケース２４内に取り付けられている（図７参照）。
【００４２】
この収納ケース２４の開口部２３の開口縁２７に傘のしずく取り装置１の支持フレーム２（図示せず。）が係留されている。
【００４３】
また、収納ケース２４の底面には水受トレー２９が配置され、この水受トレー２９は収納ケース２４の外壁面に設けられた開閉扉３０を通じて出し入れがなされることとなる。
【００４４】
このようにして収納ケース２４内に取り付けられた傘のしずく取り装置１では、雨水により濡れた傘Ｃを閉じて収納ケース２４の開口部２３を通して、雨滴回収部３の８個の柱状部材１６の各頂部１１との間に形成される傘の挿入空間２５内に傘Ｃが差し込まれることとなる。
【００４５】
ここで、図８（図８（イ）は雨滴回収部内に傘の先が入り込む状態の正面模式図、図８（ロ）は雨滴回収部内に傘の先が入り込む状態の平面断面模式図を示す。）及び図９（図９（イ）は雨滴回収部内にて傘の出し入れ状態を説明するための正面模式図、図９（ロ）は雨滴回収部内にて傘の出し入れ状態を説明するための正面断面模式図を示す。）を用いて傘のしずく取り装置の吸水過程について説明する。
【００４６】
先ず、雨滴回収部３の上端に設けられた雨滴回収部カバー３１の空隙部３２に傘の先Ｄを差し込むことで、分割とされた雨滴回収部カバー３１が傘地Ｅに密接しながら傘地Ｅについた雨滴を掻き取ることとなる。
【００４７】
更に、雨滴回収部３の柱状部材１６の各頂部１１との間に形成される傘の挿入空間２５内に傘の先Ｄを差し込むことで、傘地Ｅが８個の柱状部材１６の間に除々に挿入されることとなる。
【００４８】
この場合に、８個の柱状部材１６の上部に傘押圧壁面部３４が形成されることで傘Ｃの出し入れの際に傘Ｃの周囲が均等に押圧され、その結果傘Ｃの出し入れがスムーズに行うことが可能となる。
【００４９】
ここで、８個の柱状部材１６の各頂部１１との間に形成される傘の挿入空間２５は雨滴回収部３の下方に向かうに従って順次穴径が小さくなるように形成されている。また、傘Ｃの傘地Ｅは、先端側（手で把持する側とは反対側）より基端側（手で把持する側）に向けて拡がる様に構成されている。そのため、常に傘地Ｅは雨滴回収部３の柱状部材１６の雨滴掻き取り壁面１３に密接状に保持されることとなる。
【００５０】
ここで、傘地Ｅに付着した雨滴は、柱状部材１６の雨滴掻き取り壁面１３に設けられる雨滴掻き取り板１２で掻き取られて雨滴掻き取り壁面１３に開口された雨滴回収穴部１５より柱状部材１６内に落下して水受トレー２９内に回収される。
【００５１】
また、雨滴回収穴部１５内に回収されない雨滴は柱状部材１６の壁面を伝って落下して水受トレー２９内に回収される。
【００５２】
このようにして傘Ｃを２〜３回の摺動を繰り返すことで、傘地Ｅの雨滴のほぼ全てが除去でき、雨滴は雨滴回収部３を構成する柱状部材１６の雨滴回収穴部１５内及び雨滴掻き取り壁面１３より下方の水受トレー２９に案内されて回収されることとなる。なお、水受けトレー２９内に一定量の雨水が貯水されると水受けトレー２９を収納ケース２４外へ引き出して処理する。
【００５３】
以上の構成よりなる本発明を適用した傘のしずく取り装置では、弾性を有する雨滴掻き取り板１２が傘地Ｅに密着しながら傘Ｃの上下方向に繰り返される摺動に応じて傘地Ｅに付着した雨水を確実に除去することが可能となる。
【００５４】
更に、除去された雨水は雨滴掻き取り壁面１３に開口された雨滴回収穴部１５より柱状部材１６内部に排出されることで、雨滴掻き取り壁面１３に雨水が残ることがなく、雨水が傘地Ｅに再び付着することを防止できる。
【００５５】
また、各柱状部材１６同士のクリアランスを充分に取り、雨滴掻き取り壁面１３に雨滴掻き取り板１２を設けることで、傘の骨（図示せず。）は各柱状部材１６同士のクリアランス内に入り込み易くなる。
【００５６】
これにより、傘地Ｅが縮むことなく傘地Ｅに雨滴掻き取り板１２が圧接することとなり、傘地Ｅに付いた水を確実に除去することが可能となる。
【００５７】
また、雨滴回収部３の上端が傘の挿入空間２５に向けて下方へ傾斜面１０が形成された構成とされることで、傘Ｃの先を雨滴回収部３の傘の挿入空間２５内に差し込む際に傘Ｃの先で各柱状部材１６の上端面を突き破ることを低減することが可能となる。
【００５８】
即ち、柱状部材１６の上端面が水平状である場合には、傘Ｃの先を雨滴回収部３の傘の挿入空間２５内に差し込む際に傘Ｃの先で柱状部材の上端面を突き破ってしまうことが懸念されるものの、傾斜面１０が形成されることで、こうした点を解消することができる。
【００５９】
なお、実施例１では各柱状部材の上部に傘押圧壁面部を形成するものであるが、必ずしも各柱状部材の上部に傘押圧壁面部に形成する必要性はなく、例えば各柱状部材の雨滴掻き取り壁面の全体に雨滴掻き取り板を設けた構成であっても構わない。しかし、傘の出し入れがスムーズに行うことができるという点において各柱状部材の上部に傘押圧壁面部を形成することが望ましい。
【００６０】
また、実施例１では雨滴回収部の上端に雨滴回収部カバーを設けるものであるが、必ずしも設ける必要性はない。しかし、雨滴回収部に傘を差し込む際に雨滴を除去するという点において雨滴回収部カバーを設けることが望ましい。
【００６１】
＜実施例２＞
図１０は本発明を適用した傘のしずく取り装置の他の例を説明するための平面模式図、図１１は図１０のＢ−Ｂ線における端面を説明するための模式図である。
【００６２】
ここで示す傘のしずく取り装置１は、環状の支持フレーム２と、この支持フレーム２にその上部が取り付けられた雨滴回収部３とを有して構成されている。
【００６３】
また、雨滴回収部３は、その中心部に傘の挿入空間２５が形成される様に、８個の柱状部材１６が、所定の間隔を持って放射状に集合して構成されている。
【００６４】
ここで、支持フレーム２は外周縁が円形状であり、その内周縁は一定間隔を設けて８個の辺部４が形成されて構成されている。
【００６５】
また、それぞれの辺部４の略中央位置には下方に略直角状に折曲げられた係留片８が形成されている。
【００６６】
更に、この辺部４の裏面には、上端が取付ネジ６で固定された状態で、その下方に向けて雨滴回収部取付板部５が垂設されて構成されている。
【００６７】
この雨滴回収部取付板部５は、その上下方向の適宜箇所に柱状部材１６Ａを固定するためのネジ穴２０が開口されて構成されている。
【００６８】
ここで、雨滴回収部３を構成する柱状部材１６Ａはプラスチックなどの合成樹脂材により内部が中空状に形成されており、底辺７の幅が支持フレーム２の辺部４の幅と略同等とされ、その平面の断面形状が略三角形状をなす柱状に形成されている。
【００６９】
また、柱状部材１６Ａの頂部１１は鋭角状ではなく丸みを帯びた形状とされ、底辺７から頂部１１の両側壁面が雨滴掻き取り壁面１３とされている。更に底辺７の上下方向に沿って柱状部材１６Ａのネジ穴２０に対応する箇所に雌ネジ部２１が設けられて構成されている。
【００７０】
更に、柱状部材１６Ａの上端には、支持フレーム２の係留片８が嵌め入れられる係留溝９が形成されると共に、柱状部材１６Ａの上端の係留溝９から頂部１１に向けて下方へ傾斜面１０が形成されて構成されている。また、柱状部材１６Ａの下端は開口状とされている。
【００７１】
また、柱状部材１６Ａの外周壁の上下方向に渡って一定間隔ごとに雨滴掻き取り板１２、１２、・・が周設されている。
【００７２】
この雨滴掻き取り板１２は、柱状部材１６Ａの雨滴掻き取り壁面１３に対して一定幅を設けて水平状に頂部１１を周回するようにして突設して構成されている。更に、雨滴掻き取り板１２は、上下方向に振幅可能なように弾性を有する合成樹脂素材により形成されている。
【００７３】
また、それぞれの雨滴掻き取り板１２上面に接した雨滴掻き取り壁面１３には、柱状部材１６Ａの中空内部１４と連通状とされる雨滴回収穴部１５、１５が並列状に開口している。
【００７４】
ここで、図１０及び図１１に示すように、支持フレーム２のそれぞれの辺部４の係留片８を柱状部材１６Ａの上端の係留溝９内に嵌め込んだ状態で、雨滴回収部取付板部５と柱状部材１６Ａの底辺７に配置されるネジ穴２０及び雌ネジ部２１を合わせて締結ネジ２２によって締結される。
【００７５】
このようにして構成された雨滴回収部３は、柱状部材１６Ａの雨滴掻き取り板１２同士が一定のクリアランスを持って配置されることとなる。
【００７６】
更に、８個の柱状部材１６Ａの底辺７から頂部１１までの長さが、雨滴回収部３の上部から下部に向けて順次長くなるように形成されている。これにより雨滴回収部３の８個の柱状部材１６Ａの各頂部１１との間に形成される傘の挿入空間２５は、雨滴回収部３の下端に向かうに従って順次穴径が小さくなるように形成されることとなる。
【００７７】
ここで、前記図７に示すように、傘のしずく取り装置１は、上端に傘を差し込むための円形の開口部２３が形成されると共に、この開口部２３を未使用時に閉鎖する蓋部２６が取り付けられた収納ケース２４内に取り付けられている。
【００７８】
この収納ケース２４の開口部２３の開口縁２７に傘のしずく取り装置１の支持フレーム２が係留されて締結用ネジ２８で締結固定されている。
【００７９】
また、収納ケース２４の底面には水受トレー２９が配置され、この水受トレー２９は収納ケース２４の外壁面に設けられた開閉扉３０を通じて出し入れがなされることとなる。
【００８０】
このようにして収納ケース２４内に取り付けられた傘のしずく取り装置１では、雨水により濡れた傘Ｃを閉じて収納ケース２４の開口部２３を通して、雨滴回収部３の８個の柱状部材１６Ａの各頂部１１との間に形成される傘の挿入空間２５内に傘Ｃが差し込まれることとなる。
【００８１】
このような傘のしずく取り装置１では、図１２（図１２（イ）は雨滴回収部内に傘の先が入り込む状態の正面模式図、図１２（ロ）は雨滴回収部内に傘の先が入り込む状態の平面断面模式図を示す。）に示すように、各雨滴回収部３の頂部１１との間に形成される傘の挿入空間２５内に傘の先Ｄを差し込むことで、傘地Ｅが８個の柱状部材１６Ａの間に除々に挿入されることとなる。
【００８２】
ここで、雨滴回収部３の８個の柱状部材１６Ａの各頂部１１との間に形成される傘の挿入空間２５は雨滴回収部３の下端に向かうに従って順次穴径が小さくなるように形成されている。また、傘Ｃの傘地Ｅは、先端側（手で把持する側とは反対側）より基端側（手で把持する側）に向けて拡がる様に構成されている。そのため、常に傘地Ｅは柱状部材１６Ａの雨滴掻き取り壁面１３に密接状に保持されることとなる。
【００８３】
ここで、傘地Ｅに付着した雨滴は、柱状部材１６Ａの雨滴掻き取り壁面１３に設けられる雨滴掻き取り板１２で掻き取られて雨滴掻き取り壁面１３に開口された雨滴回収穴部１５より柱状部材１６Ａ内に落下して水受トレー２９内に回収される。
【００８４】
また、柱状部材１６Ａ内に回収されない雨滴は柱状部材１６Ａの雨滴掻き取り壁面１３を伝って落下して水受トレー２９内に回収される。
【００８５】
このようにして傘Ｃの２〜３回の摺動を繰り返すことで、傘地Ｅの雨滴のほぼ全てが除去され、雨滴は雨滴回収穴部１５内及び雨滴掻き取り壁面１３より下方の水受トレー２９に案内されて回収されることとなる。なお、水受けトレー２９内に一定量の雨水が貯水されると水受けトレー２９を収納ケース２４外へ引き出して処理する。
【００８６】
以上の構成よりなる本発明を適用した傘のしずく取り装置では、弾性を有する雨滴掻き取り板１２が傘地Ｅに密着しながら傘Ｃの上下方向に繰り返される摺動に応じて傘地Ｅに付着した雨水を確実に除去することが可能となる。更に、除去された雨水は雨滴掻き取り壁面１３に開口された雨滴回収穴部１５より柱状部材１６Ａ内部に排出されることで、雨滴掻き取り壁面１３に水が残ることがなく、雨水が傘地Ｅに再び付着することを防止できる。
【００８７】
また、雨滴回収部３の柱状部材１６Ａの底辺７から頂部１１までの長さが、雨滴回収部３の上部から下部に向けて順次長くなるように形成されることで、支持フレーム２で各柱状部材１６Ａを鉛直に取り付けることが可能となる。これにより、雨滴回収部３の傘の挿入空間２５内の穴径の調整が不要となる。
【００８８】
なお、実施例２では雨滴回収部カバーを設けない場合を詳述するものであるが前記実施例１と同様に雨滴回収部の上端に雨滴回収部カバーを設ける構成であっても構わない。
【００８９】
また、実施例２では各柱状部材の上部に傘押圧壁面部を形成しない場合を詳述するものであるが前記実施例１と同様に各柱状部材の上部に傘押圧壁面部を設ける構成であっても構わない。
【符号の説明】
【００９０】
１        傘のしずく取り装置
２        支持フレーム
３        雨滴回収部
４        辺部
５        雨滴回収部取付板部
６        取付ネジ
７        底辺
８        係留片
９        係留溝
１０      傾斜面
１１      頂部
１２      雨滴掻き取り板
１３      雨滴掻き取り壁面
１４      中空内部
１５      雨滴回収穴部
１６、１６Ａ          柱状部材
２０      ネジ穴
２１      雌ネジ部
２２      締結ネジ
２３      開口部
２４      収納ケース
２５      傘の挿入空間
２６      蓋部
２７      開口縁
２８      締結用ネジ
２９      水受トレー
３０      開閉扉
３１      雨滴回収部カバー
３２      空隙部
３３      ネジ挿通穴
３４      傘押圧壁面部
【図１】
0005658948.tif 000002
【図２】
0005658948.tif 000003
【図３】
0005658948.tif 000004
【図４】
0005658948.tif 000005
【図５】
0005658948.tif 000006
【図６】
0005658948.tif 000007
【図７】
0005658948.tif 000008
【図８】
0005658948.tif 000009
【図９】
0005658948.tif 000010
【図１０】
0005658948.tif 000011
【図１１】
0005658948.tif 000012
【図１２】
0005658948.tif 000013
【図１３】
0005658948.tif 000014